(57)【要約】【課題】使用者が遅延動作中に電源コード抜いて対流ファン４を強制的に停止することを抑止する燃焼機器を提供する。【解決手段】  液体燃料を供給するポンプ１１と、前記ポンプによって供給される燃油を噴出するノズル部１２と、ノズル部から噴出される燃油を気化燃焼させるバ−ナ２と、このバーナで発生する熱を室内に放出するための対流ファン４と、設定温度と室温の差に応じて負荷を所定の運転シーケンスに従って制御する制御部３と、運転の状態を表示するデジタル表示部２０とを備え、前記制御部は消火操作時のポンプ停止後、前記対流ファンを所定時間の遅延時間を持たせて動作させる消火制御を形成すると共に消火信号に基づき、前記デジタル表示部に前記所定時間のカウントダウンを表示するようにしたことで、使用者が対流ファン４の遅延動作中に電源コードを抜いて強制停止をすることを抑止する。【選択図】図１
2013079741.tif 000002
【特許請求の範囲】
【請求項１】
液体燃料を供給するポンプと、前記ポンプによって供給される燃油を噴出するノズル部と、ノズル部から噴出される燃油を気化燃焼させるバ−ナと、このバーナで発生する熱を室内に放出するための対流ファンと、設定温度と室温の差に応じて負荷を所定の運転シーケンスに従って制御する制御部と、運転の状態を表示するデジタル表示部とを備え、前記制御部は消火操作時のポンプ停止後、前記対流ファンを所定時間の遅延時間を持たせて動作させる消火制御を形成すると共に消火信号に基づき、前記デジタル表示部に前記所定時間のカウントダウンを表示するようにした燃焼機器。
【発明の詳細な説明】
【技術分野】
【０００１】
本発明は、石油温風暖房機などの燃焼機器に関するものである。
【背景技術】
【０００２】
従来よりこの種の燃焼機器においては、運転停止時に燃焼機器内部の熱を放出して冷却するために、運転停止操作後も対流ファンを遅延運転してから完全に停止するものであった。また、運転停止操作後の対流ファンの遅延運転を使用者に認識させるために、遅延運転が終了するまで表示ランプを点滅させるものも有った。（例えば、特許文献１）
【先行技術文献】
【特許文献】
【０００３】
【特許文献１】特開平１１−６３６７７号公報
【発明の概要】
【発明が解決しようとする課題】
【０００４】
ところで、この従来のものでは、対流ファンの遅延運転時には表示ランプの点滅によって、使用者に対流ファンが運転中であることを知らせることはできるが、その点滅がいつ終了するかは解らないので外出時などの急いでいる時は、使用者は待ちきれずに電源コードを抜くことで燃焼機器内部が冷え切らない状態で全停止してしまい、燃焼機器の外表面までかなりの高温になったり、このような状態が繰り返されることによって内部に備えた電気部品等に悪影響をあたえる心配があった。
【課題を解決するための手段】
【０００５】
本発明は上記課題を解決するため、液体燃料を供給するポンプと、前記ポンプによって供給される燃油を噴出するノズル部と、ノズル部から噴出される燃油を気化燃焼させるバ−ナと、このバーナで発生する熱を室内に放出するための対流ファンと、設定温度と室温の差に応じて負荷を所定の運転シーケンスに従って制御する制御部と、運転の状態を表示するデジタル表示部とを備え、前記制御部は消火操作時のポンプ停止後、前記対流ファンを所定時間の遅延時間を持たせて動作させる消火制御を形成すると共に消火信号に基づき、前記デジタル表示部に前記所定時間のカウントダウンを表示するようにしたものである。
【発明の効果】
【０００６】
この発明によれば、運転停止時に対流ファン遅延動作が終了するまでの間、カウントダウンを表示することで、対流ファンが停止するまでの時間を使用者に極めて分かり易く伝えることができ、使用者が遅延動作中に電源コード抜いて対流ファンを強制的に停止することを抑止することができるものである。
【図面の簡単な説明】
【０００７】
【図１】この発明の一実施例を付した燃焼機器を示す断面図。
【図２】同構成図。
【発明を実施するための形態】
【０００８】
次にこの発明に係る発明の一実施形態を図面に基づいて説明する。
【０００９】
１は屋内に設置されるファンヒータ本体で、ファンヒータ本体１内部に燃焼を行うバーナ２と、このファンヒータの作動を制御するマイコンを主体として構成された制御装置３と、ファンヒータ本体１背面開口部の対流ファン４と、ファンヒータ本体１前面の温風吹出口５と、ファンヒータ本体１前面側上部の操作部６とを備えているもので、バーナ２での燃焼排気ガスを対流ファン４により温風吹出口５から室内に吹き出すことで暖房を行うものである。
【００１０】
前記バーナ２は、複数の炎孔を有したバーナヘッド７の下部に気化ヒータ８を有した気化器９を備えて構成され、気化ヒータ８によって加熱された気化器９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化器９の上端に複数の炎孔に対向する如く備えた環状の熱回収リング１５によって炎から熱回収を行い気化ヒータ８の通電を低減しているもので、ターンダウン比が広く静かな気化燃焼を行うものである。
【００１１】
前記操作部６には、運転の開始／停止を指令するための運転スイッチ１６と、室温上昇スイッチ１７と室温下降スイッチ１８とにより構成され所望の室温を設定する室温設定手段１９と、タイマースイッチや予熱待機スイッチなどの各種の操作スイッチと、時刻や設定室温を表示するデジタル表示部２０が設けられている。このデジタル表示部２０はＬＥＤ７セグ、または液晶による４桁の数字を表示するもので、ファンヒータ運転時には選択的に時刻や設定温度、現在室温等を表示し、運転停止時の対流ファン４遅延運転時には遅延時間が終了するまでの時間を１秒刻みでのカウントダウンを表示するものである。
【００１２】
２１は前記気化ヒータ８で加熱される気化器９の温度を検知する気化温度センサで、前記制御装置３はこの気化温度センサ２１の検知温度が所定の上限温度になると前記気化ヒータ８をオフし、また所定の下限温度になると前記気化ヒータ８をオンして気化器９の温度を液体燃料を良好に気化できる温度範囲内に保持する。
【００１３】
また、前記制御装置３は、運転スイッチ１６の運転指令により、前記気化温度センサ２１の検知温度を監視して前記気化器９を液体燃料を気化可能な温度まで気化ヒータ８により加熱し、気化器９の温度を燃焼に適する温度まで上昇させると前記電磁ポンプ１１及び燃焼用送風機１３を駆動開始し、点火装置２２により混合ガスに点火して燃焼を開始させ、フレームロッドによる燃焼センサ２３により炎を検知し、器具本体１背面の対流用送風機４の近傍に設けられた室温センサ２４の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１４】
この燃焼火力の可変制御は、燃焼用送風機１３の駆動周波数及び電磁ポンプ１１の駆動周波数を一組として予め複数段階に細分化されて火力として設定しており、検知室温と設定室温の偏差及び室温の変化勾配に応じて細分化された火力を選択することによって行われる。
【００１５】
また、前記制御装置３は、タイマー部２５と記憶部２６を有し、前記タイマー部２５は、運転スイッチ１６の運転停止指令を受けると、前記対流ファン４と気化ヒータ８と電磁ポンプ１１と燃焼用送風機１３とを前記タイマー部２４のカウントに応じて適宜消火制御して、臭い及び煙のない快適な消火を実現すると共に、燃焼センサ２３により不完全燃焼を検出すると計時を開始し、所定時間経過後に計時を停止するものである。
【００１６】
前記記憶部２６は、燃焼センサ２３により不完全燃焼を検出してタイマー部２４が所定時間を計時している間に燃焼センサ２３により検出した不完全燃焼の回数を記憶するものである。
【００１７】
次にこの一実施形態の運転停止時の作動について説明する。
運転状態のファンヒータの運転スイッチ１６を押圧すれば気化ヒータ８と電磁ポンプ１１と燃焼用送風機１３とが停止することでバーナー２による燃焼が消火する、超過直後はバーナ−２周囲や送風経路は高温であるので、これを冷却するために対流ファン４は継続して回転し所定時間の遅延運転を続け、所定時間後に冷却が終了して対流ファン４が停止することでファンヒータが全停止するものです。前記の所定時間はファンヒータの定格燃焼量やそれぞれの機種によって異なるものですが、約１００〜１５０秒に設定されるものであり、例えば、所定時間を１２０秒に設定したとすれば、前記の様に運転停止の操作が行われると略同時にデジタル表示部２０に１２０秒が表示されると共に、カウントダウンを開始する、その後表示部２０が０秒までカウントダウンされると対流ファン４が停止し、表示部２０も消灯することでファンヒータが全停止する。
【００１８】
このように、運転停止時に対流ファン４の遅延動作が終了するまでの間、カウントダウンを表示することで、対流ファン４が停止するまでの時間を使用者に極めて分かり易く伝えることができ、使用者が遅延動作中に電源コード抜いて対流ファン４を強制的に停止することを抑止することができるものである。
【符号の説明】
【００１９】
２  バーナ
３  制御装置
４  対流ファン
２０  表示部
【図１】
2013079741.tif 000003
【図２】
2013079741.tif 000004